(57)【要約】  本発明は，ビニールハウス暖房システムなどに活用可能で，設置が容易で耐久性がより優れた，ビニールハウス用保温パックに関するものである。   本発明によれば，保温パックの外枠にひもを通せる留め穴を備えることにより，保温パックをビニールハウス内に容易に設置でき，圧着面上に留め穴が形成されることにより，耐久性が高まる。  また，保温パックの面上に多数の円形圧着面と，この円形圧着面上に排水穴を備えることによって，保温パック上面に水が満ちても排水されて保温パックの垂れを防止でき，所々の排水穴に支持材を挿入し，保温パックを支持することによって，保温パックが垂れることを防止できる。  そして，円形圧着面間に２列で圧着形成された隔壁を備えることによって，空気通路を確保するだけでなく，熱風供給時における隔壁の破損を防ぐこともできる。  したがって，本発明によるビニールハウス用保温パックは，従来のビニールハウス用保温パックに比べて，設置が容易なこと，耐久性がより優れていること，作業効率の向上および労働力の節減というメリットから，結果的に作物の生産価格を下げる効果が得られる。【選択図】    図１
2007520203.tif 000002
【特許請求の範囲】
【請求項１】
その内側に熱風の供給を受けられるビニールハウス用保温パックにおいて，
前記保温パックの外枠に沿って所定間隔で圧着形成された長方形圧着面と；
前記長方形圧着面上に形成され，ひもを通して前記保温パックを支持する留め穴と；
前記保温パックの面上に所定間隔で圧着形成された円形圧着面と；
前記円形圧着面上に形成され，前記保温パックの上面に水が満ちて前記保温パックが垂れることを防止するための排水穴と；
を備えることを特徴とする，ビニールハウス用保温パック。
【請求項２】
前記保温パック内面上に，空気通路が形成できるよう，前記円形圧着面間に１方向２列で圧着形成された隔壁をさらに備えることを特徴とする，請求項１に記載のビニールハウス用保温パック。
【請求項３】
前記保温パックの垂れ防止のため，前記排水穴にはめ込む形で設置され，その一側端には，ハウス内に備わった固定材にかけられるように掛け金が形成され，その他側端には，前記排水穴より大きく形成された円形板を有する支持材をさらに備えることを特徴とする，請求項１に記載のビニールハウス用保温パック。
【発明の詳細な説明】
【技術分野】
【０００１】
本発明は，ビニールハウス用保温パックに関し，より詳細には，設置が容易で耐久性がより優れたビニールハウス用保温パックに関する。
【背景技術】
【０００２】
ビニールハウスは現在最も重要な園芸施設で，葉野菜，根野菜，花卉，果樹類栽培に利用されている。 またビニールハウスは保温力が優れ，作物生育においてもガラス温室に比べて被覆材が軽いことと，骨格材料もガラス温室に比べて大きく節減され，設置費が安いという利点がある。
【０００３】
しかし，ビニールハウスだけでは冬季作物を生育するには困難があった。これはビニールハウスの被覆材だけでは保温力を大きく期待できないからである。
【０００４】
これを解決するため，昼間にあたためたビニールハウス内部の空気温度を，持続的に維持するためのビニールハウス暖房システムが提案された。
【０００５】
大韓民国実用新案登録第０２６７４１７号は，ビニールハウスの暖房システムに関し，保温パックを利用して，昼間にあたためたビニールハウス内部の空気と外気間の接触を遮断して，保温パックに持続的に熱風を供給することで，ビニールハウスの内部全体に暖房を供給しなくても，最大の暖房効果を得ることができるという効果がある。
【０００６】
本出願人は，上記のビニールハウス暖房システムなどに活用可能で，設置が容易で耐久性がより優れた，ビニールハウス用保温パックを提案する。
【発明の開示】
【発明が解決しようとする課題】
【０００７】
上記のように，本発明の目的は，ビニールハウス暖房システムなどに活用可能で，設置が容易で耐久性がより優れたビニールハウス用保温パックに関し，保温パックの外枠の部分に固定用穴と，保温パックの内側面上に垂れ防止用穴または排水穴および空気通路を備える接着面を，より強化したビニールハウス用保温パックを提供することにある。
【課題を解決するための手段】
【０００８】
上記技術的課題を達成するため，本発明は，保温パックの外枠に沿って所定間隔で圧着形成された長方形圧着面と，長方形圧着面上に形成され，ひもを締めて上記保温パックを支持できるように用意された留め穴と，保温パックの面上に所定間隔で圧着形成された円形圧着面と，円形圧着面上に形成され，保温パックの上面に水が満ちて垂れるのを防止するための排水穴とを備える，ビニールハウス用保温パックを提供する。
【０００９】
上記保温パック内面上に，空気通路が形成できるよう，円形圧着面間を１方向２列で圧着形成された隔壁を備えることができる。
【００１０】
また，上記保温パックは，保温パックの垂れを防止できるよう，排水穴に挿入設置され，一側端には，ハウス内に備わった固定材にかけられるように掛け金が形成され，その他側端には，排水穴より大きく形成された円形板を有する支持材を備えることができる。
【発明の効果】
【００１１】
以上で説明した通り，本発明による保温パックの外枠上に，ひもを差し通せる留め穴を備えることによって，保温パックをビニールハウス内に容易に設置でき，また圧着面上に留め穴が形成されることにより，耐久性がより増大する。
【００１２】
また，保温パックの面上に多数の円形圧着面と，この円形圧着面上に排水穴を備えることによって，保温パック上面に水が満ちても直ちに排水され，排水穴の所々に支持材で保温パックを支持することにより，保温パックの垂れを防止できる。
【００１３】
また，円形圧着面の間に２列で圧着形成された隔壁を備えることによって，空気通路を形成するだけでなく，熱風供給時において，隔壁が破損されることを防止できるという効果もある。
【００１４】
したがって，本発明によるビニールハウス用保温パックは，従来のビニールハウス用保温パックに比べ，設置が容易で耐久性がより優れ，作業効率向上と労働力節減を通し，作物の生産価格を下げることができるという効果がある。
【発明を実施するための最良の形態】
【００１５】
以下，添付図面を参照して，本発明のビニールハウス用保温パックの望ましい実施形態を詳細に説明する。
【００１６】
図１は，本発明によるビニールハウス用保温パックの斜視図である。図２は，本発明によるビニールハウス用の側面保温パックの斜視図である。図３は，本発明によるビニールハウス用保温パックの使用例示図である。
【００１７】
まず，図１に図示したように，本発明によるビニールハウス用保温パック１は，その内側に熱風が注入可能なように構成される。すなわち，ビニールハウス用保温パック１（以下，保温パックという）は，２枚のシートを利用して製作され，その内部に熱風を供給（注入）できるように，一側端に自動開閉式熱風注入口１１を備え，自動開閉式熱風注入口１１と反対側に，熱交換により冷たくなった空気を排気するための自動開閉式排気口１７を備える。
【００１８】
また，保温パック１は，その外枠に沿って所定間隔で圧着形成された長方形圧着面１２を備え，この長方形圧着面１２上にひもを通せるように，少なくとも一つ以上の留め穴１３を備える。
【００１９】
この留め穴１３にひもを通してから，このひもをハウス内の固定材に結束させると，保温パック１が垂れることを防止できる。 さらに，保温パック１をハウスの側面にぶら下げて設置する場合，留め穴１３に連続的にひもを通した後，ひもの両端をハウス内に設置された固定材に結束させれば保温パック１は良好に設置される。
【００２０】
また，保温パック１は，その面上に所定間隔で圧着形成された円形圧着面１４を備えることにより，保温パック１の上面に水が満ちて保温パック１が垂れるのを防止する。また，保温パック１を支持させられるように，この円形圧着面１４上に多目的排水穴１５を備える。
【００２１】
すなわち，円形圧着面１４が，所定間隔で保温パック１面上に横方向と縦方向に多数配列されることにより，保温パック１に熱風が供給されても保温パック１は適当な厚みを維持できる。
【００２２】
また，保温パック１をビニールハウス内天井に設置すると，保温パック１の垂れが発生するが，この場合支持材２０を使用すれば容易に垂れを防止できる。すなわち，支持材２０は排水穴１５に貫通して設置され，その一側端には，ハウス内に備わった固定材にかけられるように掛け金２１が形成されて，その他側端には，排水穴１５より大きく製作された円形板２２が形成される。したがって支持材２０の掛け金２１を固定材にかけて設置する場合，円形板２２により保温パック１が支持されることによって，垂れを防止できるようになる。ここで円形板２２は，保温パック１との接触面が円形となるように製作されることが望ましい。
【００２３】
そして，ハウス内天井に保温パック１が設置された場合，湿気により保温パック１上面に水が満ちることになるので，この場合排水穴１５により水が排水できることで，保温パック１の垂れを防止できる。
【００２４】
また，図２に示すように，保温パック１は，所定間隔で形成された円形圧着面１４の間に隔壁１６を備える。すなわち，上記のように列状に位置した円形圧着面１４の間に，圧着形成された隔壁１６を備えることによって，空気通路が形成される。そしてこの空気通路によって，熱風注入時，保温パック１の震えを防止できる。より詳細に説明すれば，保温パック１内に熱風が流れることで保温パック１のシートがプルプルと震えるようになり，それにより周囲の作物に影響を与える可能性がある。隔壁１６により，この震える現象を抑制することで，作物に及ぼす影響を最小化できることになる。
【００２５】
さらに，隔壁１６が２列で圧着形成されることによって，耐久性が増すことになる。
【００２６】
一方，保温パック１は，通常のハウス製造に用いるビニールまたは不織布または化学繊維材質の薄いシートなどで作られる。
【００２７】
次に，図３に，本発明によるビニールハウス用保温パックの使用状態を例示する。
【００２８】
図３に示すように，本発明によるビニールハウス用保温パック１は，パイプ３０でその骨格が形成された，通常のビニールハウス内側の左右側壁と天井に設置される。
【００２９】
まず，ビニールハウス内部側壁に設置された保温パック１は，その上端枠上に形成された留め穴１３にひもを連続的に締めた後，そのひもの一側端と他側端を，各々ビニールハウスの両端に設置されたもの，例えばビニールハウスの骨格を形成するパイプ３０に結束させる。その結果，保温パック１は，ぶら下げた状態でビニールハウスの側壁を形成するようになる。したがって，保温パック１に形成された自動開閉熱風注入口１１を通じてその内部に熱風が注入されれば，保温パック１は，膨張すると同時にビニールハウス内の空気と外気との接触を遮断できることになる。そして，昼間には採光が容易になるよう保温パック１両端のひもを解き，側壁を除去して，この後暖房時には保温パック１両端のひもを引っ張り，再度固定材に結束させて再び容易に側壁を設置することができる。
【００３０】
次に，ビニールハウス天井に設置された保温パック１は，その枠上に形成された留め穴１３にひもを連続的に締めた後，そのひもの一側端と他側端を，各々ビニールハウス両側上端に設置された固定材に結束させる。その結果，保温パック１は，ビニールハウスの天井を覆うように広げられる。また，保温パック１面上に形成された排水穴１５に支持材２０をはめ込み，支持材２０の掛け金２１をビニールハウス上端に設置された固定材にかけることによって，保温パック１が垂れないようにする。その結果，保温パック１に形成された自動開閉熱風注入口１１を通じてその内部に熱風が注入されれば，保温パック１は，膨張すると同時にビニールハウス内の空気と外気との接触を遮断できることになる。
【００３１】
そして補助空気通路を形成するための隔壁１６が形成される。
【図面の簡単な説明】
【００３２】
【図１】本発明によるビニールハウス用保温パックの斜視図である。
【図２】本発明によるビニールハウスの側面保温パックの斜視図である。
【図３】本発明によるビニールハウス用保温パックの使用例示図である。
【符号の説明】
【００３３】
１      保温パック
１１      自動開閉式熱風注入口
１２      長方形圧着面
１３      留め穴
１４      円形圧着面
１５      排水穴
１６      隔壁
１７      自動開閉式排気口
２０      支持材
【図１】
2007520203.tif 000003
【図２】
2007520203.tif 000004
【図３】
2007520203.tif 000005
【国際調査報告】
2007520203.tif 000006
2007520203.tif 000007